(57)【要約】【課題】バッテリー交換をし易い電気掃除機を得ることにある。【解決手段】使用者の腰又は背中の内の少なくとも腰に装着される腰ベルト（腰装着部）１５を有した身体装着部材３に、電動送風機が設けられた掃除機本体２を支持する。電動送風機に電力を供給するバッテリー５が出し入れ可能に収容されるバッテリーホルダ（バッテリー保持部）４を、身体装着部材３の使用者への装着状態でバッテリー５の着脱操作ができるように腰ベルト１５に取付ける。【選択図】    図２
2005034175.tif 000002
【特許請求の範囲】
【請求項１】
電動送風機が設けられた掃除機本体と、
この掃除機本体を支持して使用者の腰又は背中の内の少なくとも腰に装着される腰装着部を有した身体装着部材と、
前記電動送風機に電力を供給するバッテリーと、
使用者への前記身体装着部材の装着状態で前記バッテリーの着脱操作ができるように前記掃除機本体又は前記腰装着部に設けられて前記バッテリーが出し入れ可能に収容されるバッテリー保持部と、
を具備した電気掃除機。
【請求項２】
電動送風機が設けられた掃除機本体と、
この掃除機本体を支持して使用者に装着される身体装着部材と、
前記電動送風機に電力を供給するバッテリーと、
このバッテリーが出し入れ可能に収容されるバッテリー保持部と、
このバッテリー保持部を支持し、使用者への前記身体装着部材の装着状態で前記バッテリーの着脱操作ができるように使用者の腰部に装着されるバッテリー装着部と、
を具備した電気掃除機。
【発明の詳細な説明】
【０００１】
【発明の属する技術分野】
本発明は、例えば天井及び天井寄りの壁面上部等の高所、階段、移動車両の車内や、飛行機の機内等を掃除するのに好適な電気掃除機に関する。
【０００２】
【従来の技術】
従来、掃除作業において掃除機本体を片手で持つ必要がないとともに、コンセントからの給電を要することがないようにするために、掃除機本体と、この本体を背負うための背負いベルトとを有し、掃除機本体内にこれを駆動状態ならしめるバッテリーを着脱可能に収容させた電気掃除機が知られている（例えば特許文献１参照。）。
【０００３】
【特許文献１】
登録実用新案第３００８５８６号公報（段落０００８−００２３、図１−図４）
【０００４】
【発明が解決しようとする課題】
特許文献１の電気掃除機を、業務用として使用する場合、バッテリーの重量が重いと、腰への負担が増えて疲労し易くなるので、バッテリーにはその電池容量が小さいものの使用が好ましい。しかし、電池容量が小さいバッテリーは、電池切れが早い。一方、業務用の電気掃除機は、長時間にわたり使用されるものであり、こうした掃除条件では、バッテリー交換を余儀なくされる場合が多々ある。特許文献１の電気掃除機では、掃除機本体の下部側面に設けた開閉扉を開いてバッテリーを掃除機本体に出し入れするようになっている。しかし、掃除機本体は背負って使用されるものであるため、バッテリー交換に際しては、その都度掃除機本体を身体に対して着脱する手間が必要である。
【０００５】
本発明が解決しようとする課題は、バッテリー交換をし易い電気掃除機を得ることにある。
【０００６】
【課題を解決するための手段】
前記課題を解決するために、本発明は、使用者の腰又は背中の内の少なくとも腰に装着される腰装着部を有した身体装着部材に、電動送風機が設けられた掃除機本体を支持するとともに、電動送風機に電力を供給するバッテリーが出し入れ可能に収容されるバッテリー保持部を、身体装着部材の使用者への装着状態でバッテリーの着脱操作ができるように掃除機本体又は腰装着部に設けている。
【０００７】
本発明では、掃除機本体又は腰装着部に設けたバッテリー保持部が、身体装着部材の使用者への装着状態でバッテリーを出し入れ可能に収容できるように設けられているので、身体装着部材を使用者の身に装着したままでバッテリー交換をすることが可能である。
【０００８】
【発明の実施の形態】
以下、図１及び図２を参照して本発明の一実施形態を説明する。
【０００９】
図中符号１で示す電気掃除機は、例えば業務用のものであって、掃除機本体２と、身体装着部材３と、バッテリー保持部としてのバッテリーホルダ４と、バッテリー５と、気流導入手段６とを具備している。
【００１０】
図１に示すように掃除機本体２は、本体ケース２ａに集塵部２ｂ及び電動送風機２ｃを設けている。電動送風機２ｃは本体ケース２ａに内蔵されている。なお、本体ケース２ａは電動送風機２ｃからの排気を本体ケース２ａ外に放出する排気部（図示しない）を有している。集塵部２ｂは、電動送風機２ｃの吸込み上流側に配置されている。この集塵部２ｂは例えば本体ケース２ａに設けた図示しない蓋部を開閉して交換可能な紙袋製フィルター（図示しない）を有しているが、これに代えて塵の慣性を利用してこの塵と空気とを分離するようにしたサイクロン式の集塵カップ（集塵部）を用いることも可能である。本体ケース２ａの上部例えば上面には吸気口２ｄが設けられている。
【００１１】
気流導入手段６は、吸塵ホース１１と、このホース１１に着脱可能に接続される吸塵ノズル１２とを備えている。吸塵ホース１１は、可撓性を有したホース主部の一端部に硬質な接続管１１ａを取付けるとともに前記ホース主部の他端部に硬質な握り管１１ｂを取付け、かつ、この握り管１１ｂに入力操作部１１ｃを設けて形成されている。接続管１１ａは吸気口２ｄに着脱可能に差込み接続される。入力操作部１１ｃは、押し釦スイッチ（図示しない）などを有しており、その操作によって電動送風機２ｃを例えばオン−オフさせるようになっている。吸塵ノズル１２は、握り管１１ｂの先端部に着脱可能に嵌合して接続される硬質なノズル管１２ａと、このノズル管１２ａの先端部に接続されたノズルヘッド１２ｂとから形成されている。
【００１２】
図２に示すように身体装着部材３は、腰装着部ないしはバッテリー装着部として機能する腰ベルト１５と、肩装着部として機能する例えば一対の肩ベルト１６とを備えている。
【００１３】
腰ベルト１５は、その使用長さ調節用のバックル１５ａ付きであって、使用者の腰に着脱可能に装着される。腰ベルト１５を使用者の腰に装着した場合に背側に位置される腰ベルト１５のベルト部分には、掃除機本体２の上部が連結されている。
【００１４】
肩ベルト１６は、その下端を腰ベルト１５に連結して取付けられており、使用者の肩に着脱可能に装着される。これら肩ベルト１６の上端の折り返し部には肩当て１７が夫々取付けられている。なお、肩ベルト１６にその使用長さ調節用のバックルを設ける場合には、肩当て１７を肩ベルト１６に沿って移動可能に設けるとよい。
【００１５】
腰ベルト１５を使用者の腰に装着した場合にバックル１５ａと掃除機本体２との間に位置する腰ベルト１５のベルト部分には、バッテリーホルダ４の上部が取付けられている。バッテリーホルダ４は、上端が開口された容器状をなしていて、その底壁に図示しない電極接続部を有している。この電極接続部には、スパイラルコード１８の一端が接続されている。スパイラルコード１８の他端は、電動送風機２ｃの運転を制御するために掃除機本体２内に設けられている制御回路部（図示しない）に電気的に接続されている。
【００１６】
腰ベルト１５に支持されたバッテリーホルダ４には、その上端開口を通して電動送風機２ｃ等の電源となるバッテリー５が出し入れ可能に収容される。バッテリー５は、その下端に図示しない正極及び負極の端子を有しており、これらの端子は、バッテリーホルダ４にバッテリー５が適正に収容されることにより、前記電極接続部に接続される。これにより、電源コンセントと掃除機本体２とを電気的に接続して床面を這う電源コードを要することなく掃除が可能な、いわゆるコードレス型の電気掃除機１とできる。なお、バッテリー５の電池容量は電気掃除機１全体としての重量を減らすために比較的小さい。このため、掃除を行う際には、交換用の同種バッテリー（図示しない）が予備的に掃除場所に運び込まれている。
【００１７】
前記構成を備えた電気掃除機１は、その身体装着部材３により使用者の身につけて使用される。すなわち、図１に示すように一対の肩ベルト１６を両肩にかけるとともに、腰ベルト１５を腰に回して装着することにより、腰ベルト１５に別々に支持された掃除機本体２とバッテリー５とを使用者の腰回りに配置する。そして、この状態で、既に掃除機本体２に連結されている吸塵ホース１１に吸塵ノズル１２を接続した後、吸塵ホース１１の握り管１１ｂを握って入力操作部１１ｃを介して掃除機本体２内の電動送風機２ｃを駆動させる。これにより、気流導入手段６を通して掃除機本体２に吸込まれた含塵空気中の塵を、集塵部２ｂに捕捉しながら掃除作業を行なうことができる。
【００１８】
このような形態で電気掃除機１を使用者の身体に装着して使用できる。このため、例えば天井などの高所、階段、その他の掃除個所を掃除する場合に、掃除機本体２及びバッテリー５を片手で持ち上げる必要がなく、掃除することが可能である。これとともに、吸塵ホース１１を両手で握って操作することも、吸塵ホース１１を片手で握ったまま空いている他方の手で掃除に邪魔な物品を動かしたりしながら掃除をすることも可能であるので、使い勝手がよい。
【００１９】
この掃除では、既述のように電気掃除機１の掃除機本体２とバッテリー５とを使用者の腰回りに支持しているので、身に付けた電気掃除機１の重心の不動性が高い。このため、高所の掃除で使用者が上半身を反るような姿勢を採った場合にも、使用者に対する電気掃除機１の重心位置が変化して使用者の上半身に無理を強いることがなく、したがって、使い勝手がよい。
【００２０】
更に、既述のように電気掃除機１を使用者の腰回りに支持したので、電気掃除機１の重さが使用者の下半身で主として支持されるようになって、使用者の腰に荷重が集中することがなくなり腰に対する負担を小さくできる。特に、本実施形態は、肩ベルト１６を有し、使用者の肩でも電気掃除機１の重さを支持しているので、電気掃除機１の重さを分散して支持できる点でも優れている。
【００２１】
掃除の最中に、バッテリー５の電池電力が所定電力以下になると、電動送風機２ｃの駆動力は急激に低下するので、バッテリー５の交換時期は容易に知ることができる。この状態に至った時には、バッテリー交換をして掃除を継続すればよい。
【００２２】
この場合、バッテリー５は、腰ベルト１５に掃除機本体２とは別に取付けられたバッテリーホルダ４に、このホルダ４の上方から出し入れ可能に収容されている。そして、バッテリーホルダ４は使用者の腰の側方にあって、容易に手を回すことが可能である。このため、予め用意されている予備のバッテリーとの交換を行う場合に、その都度、使用者の身体から電気掃除機１を外して、交換作業をする必要がなく、電気掃除機１を身に付けた状態のままで、バッテリー交換をすることができ、使い勝手がよい。
【００２３】
なお、本発明は前記一実施形態には制約されない。例えば、掃除機本体２にバッテリーホルダ４を設けることもできる。この場合、掃除機本体２の本体ケース２ａと一体又は別体のバッテリー保持部としてのバッテリーホルダ４を、電気掃除機１が使用者の身に付けられた装着状態で使用者の腰の側方に回り込むように本体ケース２ａの一側に連続して設けることによって、前記状態でバッテリー交換ができるようにするとよい。このように本体ケース２ａにバッテリーホルダ４を設けて実施する場合には、スパイラルコード１８に代えて、バッテリーホルダ４と本体ケース２ａとにわたる電気配線を外部に露出しないように設けることも可能である。又、本発明において、前記一実施形態で用いた肩ベルト１６は省略することも可能である。
【００２４】
【発明の効果】
本発明によれば、バッテリー交換をし易い電気掃除機を提供できる。
【図面の簡単な説明】
【図１】本発明の一実施形態に係る電気掃除機を使用状態で示す側面図。
【図２】図１の電気掃除機を示す斜視図。
【符号の説明】
１…電気掃除機、２…掃除機本体、２ｂ…集塵部、２ｃ…電動送風機、３…身体装着部材、４…バッテリーホルダ（バッテリー保持部）、５…バッテリー、１５…腰ベルト（腰装着部、バッテリー装着部）、１５ａ…バックル
【図１】
2005034175.tif 000003
【図２】
2005034175.tif 000004